(57)【要約】【課題】高感度でかつ煩雑な操作を必要としない、免疫学的微小粒子の凝集反応を用いる検体の測定方法を提供すること。【解決手段】本発明の検体中の被測定物質を測定する方法は、（ａ）該被測定物質を含む検体と、該被測定物質に特異的に結合する物質を複数個有する複合体と、該被測定物質または該被測定物質の類似体を不溶性担体上に結合させた微小粒子とを混合する、工程；および（ｂ）該工程（ａ）で得られた該混合液において、該微小粒子の凝集反応を測定する工程；を含む。本発明の方法によれば、例えば、抗体を単体で使用するのではなく、複合体として使用することにより、測定感度が上昇するため、低濃度域での測定が可能である。【選択図】なし【特許請求の範囲】
【請求項１】
検体中の被測定物質を測定する方法であって、
（ａ）該被測定物質を含む検体と、該被測定物質に特異的に結合する物質を複数個有する複合体と、該被測定物質または該被測定物質の類似体を不溶性担体上に結合させた微小粒子とを混合する、工程；および
（ｂ）該工程（ａ）で得られた該混合液において、該微小粒子の凝集反応を測定する工程；
を含む、方法。
【請求項２】
前記複合体が、前記被測定物質に対する抗体を複数個結合させた物質である、請求項１に記載の方法。
【請求項３】
前記被測定物質がハプテンであり、そして前記被測定物質の類似体がハプテン結合蛋白質である、請求項１または２に記載の方法。
【請求項４】
前記被測定物質の類似体が、前記被測定物質に特異的に結合する物質が認識しそして結合し得る物質であって、（ｉ）該被測定物質の部位を有する物質、（ii）該部位を有する物質の構造類似体、または（iii）該部位を有する物質または該構造類似体が複数個結合した物質である、請求項１から３のいずれかの項に記載の方法。
【請求項５】
前記不溶性担体が、ラテックスまたは金コロイドである、請求項１から４のいずれかの項に記載の方法。
【請求項６】
被測定物質に特異的結合する物質を複数個有する複合体を含む、第一試薬；および
被測定物質または該被測定物質の類似体を不溶性担体上に結合させた微小粒子を含む、第二試薬；
を含む、測定用試薬キット。
【請求項７】
前記複合体が、前記被測定物質に対する抗体を複数個結合させた物質である、請求項６に記載のキット。
【発明の詳細な説明】
【技術分野】
【０００１】
本発明は、物質を結合した微小粒子を用いる免疫学的測定法に関する。特に、主として工業、環境、および臨床検査の分野における、抗原抗体反応を利用した微量成分の免疫学的測定方法ならびに免疫学的測定用試薬キットに関する。
【背景技術】
【０００２】
近年、臨床検査などの各種検査では自動化および測定時間の短縮が図られている。その検査の方法として、生体試料中の物質を測定するために免疫反応を利用する測定方法が広く用いられている。免疫学的測定方法としては、ＲＩＡ法、ＥＩＡ法、免疫比濁法、ラテックス凝集法、金コロイド凝集法、イムノクロマト法などの多くの方法がある。その中でも、ラテックス凝集法や金コロイド凝集法は、反応液の分離や洗浄操作を必要としないホモジニアス系での測定が可能なため、測定の自動化や短時間での測定に適している。特に、金コロイド粒子は５ｎｍ〜１００ｎｍの大きさであり、これはラテックス粒子より小さいため、より微量物質の測定に利用可能である（特許文献１および２）。
【０００３】
これらの測定法における主反応成分は、被測定物質に特異的に反応（例えば、結合）する物質を結合したラテックス粒子や金コロイド粒子などの微小粒子である。微小粒子上に結合されている被測定物質に特異的に反応する物質が、被測定物質に特異的に反応する部位を複数個有する場合は、微小粒子上に結合されている被測定物質に特異的に反応する物質と被測定物質とを反応させることにより微小粒子の凝集を生じさせ、その凝集の程度から被測定物質の濃度を算出する。
【０００４】
しかし、微小粒子上に結合されている被測定物質に特異的に反応する物質が、被測定物質に特異的に反応する部位を一箇所しか有さない場合は、この物質が被測定物質と反応しても、その一箇所でしか反応（例えば、結合）しないため、微小粒子の凝集が生じない。そのため、被測定物質に反応する部位を複数個有する競合体を測定系に共存させることによって微粒子の凝集を生じさせて、被測定物質の濃度に依存した凝集の程度を測定するという、競合法により被測定物質を測定する。
【０００５】
あるいは、被測定物質または被測定物質の類似体を複数個結合させたラテックス粒子や金コロイド粒子などの微小粒子と被測定物質に特異的に結合する物質とを反応させることにより凝集を生じさせる反応系において、被測定物質を共存させることにより、その凝集反応を阻害させ、その阻害の程度を測定することによって被測定物質を測定する方法が示されている（非特許文献１）。この方法では、被測定物質に特異的に結合する物質として抗体を単体で使用した場合に、被測定物質と、あるいはハプテンを複数個結合したラテックス粒子や金コロイド粒子と抗体との結合により生じる凝集が不十分であり、実用的な測定感度が得られないことがあった。
【特許文献１】特開２００５−２８３２５０号公報
【特許文献２】特開２００４−３２５１９２号公報
【非特許文献１】山田満廣、医療と検査機器・試薬，19巻，4号，523-528頁，1996年
【発明の開示】
【発明が解決しようとする課題】
【０００６】
本発明の目的は、微小粒子を用いる従来の反応系による測定方法、すなわち、被測定物質または被測定物質の類似体を複数個結合させたラテックス粒子や金コロイド粒子と被測定物質に特異的に結合する物質とを反応させることで凝集を生じさせる反応系に被測定物質を共存させることによって、その凝集反応を阻害させ、その阻害の程度を測定する被測定物質の測定方法において、その測定感度を上昇させ、そしてより広い濃度域での被測定物質の測定を可能にする測定方法および測定用キットを提供することである。
【課題を解決するための手段】
【０００７】
本発明は、上記の測定方法において、被測定物質に特異的に結合する物質を単体で使用するのではなく、該特異的に結合する物質を複数個結合した複合体を使用することによって、被測定物質または被測定物質の類似体を複数個結合した微小粒子との凝集反応が劇的に促進され、被測定物質の測定感度が著しく上昇することを見出したことにより、完成した。すなわち、本発明は、このような複合体と、被測定物質または被測定物質の類似体を複数個結合した微小粒子と、検体中の被測定物質とを反応液中で共存させて凝集反応を生じさせると、検体由来の被測定物質の濃度依存的に凝集反応が阻害される現象に基づく測定方法である。
【０００８】
本発明は、検体中の被測定物質を測定する方法を提供し、該方法は、
（ａ）該被測定物質を含む検体と、該被測定物質に特異的に結合する物質を複数個有する複合体と、該被測定物質または該被測定物質の類似体を不溶性担体上に結合させた微小粒子とを混合する、工程；および
（ｂ）該工程（ａ）で得られた該混合液において、該微小粒子の凝集反応を測定する工程；
を含む。
【０００９】
本発明はまた、測定用試薬キットを提供し、該キットは、
被測定物質に特異的結合する物質を複数個有する複合体を含む、第一試薬；および
被測定物質または該被測定物質の類似体を不溶性担体上に結合させた微小粒子を含む、第二試薬；
を含む。
【００１０】
１つの実施態様では、上記複合体は、上記被測定物質に対する抗体を複数個結合させた物質である。
【００１１】
ある実施態様では、上記被測定物質はハプテンであり、そして上記被測定物質の類似体はハプテン結合蛋白質である。
【００１２】
他の実施態様では、上記被測定物質の類似体は、上記被測定物質に特異的に結合する物質が認識しそして結合し得る物質であって、（ｉ）該被測定物質の部位を有する物質、（ii）該部位を有する物質の構造類似体、または（iii）該部位を有する物質または該構造類似体が複数個結合した物質である。
【００１３】
さらなる実施態様では、上記不溶性担体は、ラテックスまたは金コロイドである。
【発明の効果】
【００１４】
本発明によれば、被測定物質に特異的に結合する物質を単体で使用するのではなく、この物質を複数個結合した複合体を使用するため、被測定物質または被測定物質の類似体を複数個結合させた微小粒子（ラテックス粒子、金コロイド粒子など）との凝集反応が劇的に促進され、被測定物質の測定感度が著しく上昇する。したがって、従来技術では測定できなかった低濃度域での測定が可能になり、被測定物質をより広い濃度域で測定できる。
【００１５】
さらに、従来の方法では、凝集反応が進まない場合に凝集促進剤（例えば、ポリエチレングリコール、コンドロイチン硫酸）を反応液に添加するため、反応液の粘度が増して、取り扱いにくいという問題や再現性に影響するという問題がある。これに対して、本発明の方法では、凝集促進剤を添加しなくても十分に凝集が進行するため、取り扱いや再現性が良好である。
【発明を実施するための最良の形態】
【００１６】
（検体）
本発明において、測定に供する被測定物質を含む検体としては、血液、血漿、血清、尿、糞便（懸濁液）、髄液、腹水などの生体試料；環境中より得られたサンプルまたはその抽出物などが挙げられる。
【００１７】
（被測定物質）
被測定物質は、該被測定物質に特異的に結合する物質が存在し得、またはこのような物質を製造し得るものであれば、特に限定されない。被測定物質としては、例えば、アルブミン、ヘモグロビン、ヘモグロビンＡ１ｃ、ミオグロビン、トランスフェリン、ラクトフェリン、シスタチンＣ、フェリチン、α−フェトプロテイン、癌胎児性抗原、ＣＡ１９−９、前立腺特異抗原、Ｃ反応性蛋白質（ＣＲＰ）、繊維素分解産物（ＦＤＰ）、ペプシノーゲンＩおよびII、コラーゲンなどの蛋白質；高比重リポ蛋白質、低比重リポ蛋白質、超低比重リポ蛋白質などの脂質蛋白質；デオキシリボ核酸、リボ核酸などの核酸；アルカリ性ホスファターゼ、乳酸脱水素酵素、リパーゼ、アミラーゼなどの酵素；ＩｇＧ、ＩｇＭ、ＩｇＡ、ＩｇＤ、ＩｇＥなどの免疫グロブリン；Ｂ型肝炎ウイルス、Ｃ型肝炎ウイルス、ヒト免疫不全ウイルス、ヘリコバクターピロリ、これらに対する抗体などの感染症に関する抗原や抗体；スペルミン、スペルミジン、プトレッシン、ジアセチルスペルミンなどのポリアミン、および生理活性物質；ハロペリドール、ブロムペリドールなどの薬物；性ホルモンなどのホルモンなどが挙げられる。
【００１８】
（被測定物質に特異的に結合する物質の複合体）
被測定物質に特異的に結合する物質（以下、「特異的結合物質」という場合がある）としては、免疫反応を利用する免疫学的測定法に使用され得る抗体または抗原が挙げられる。例えば、抗体または抗原、レセプター、レクチン、デオキシリボ核酸（ＤＮＡ）、リボ核酸（ＲＮＡ）などの結合親和性を有する物質が挙げられる。被測定物質を特異的に認識できかつ以下で詳述する不溶性担体に結合させた被測定物質またはその類似体を認識しやすい点で、ポリクローナル抗体またはモノクローナル抗体が好ましい。
【００１９】
特異的結合物質の複合体（以下、単に「複合体」という場合がある）は、特異的結合物質の単体を複数個有するものであればよい。複合体としては、例えば、単体同士をリンカーなどにより化学的結合させたもの；特異的結合物質を特異的に複数個結合し得るキャリアを介して結合させたもの；および、特異的結合物質に対して化学修飾によりビオチンなどのタグを付け、このタグに特異的に結合する物質を介して複合体を形成させたものが挙げられる。
【００２０】
特異的結合物質の単体同士の結合は、被測定物質またはその一部に存在するアミノ基、カルボキシル基またはチオール基などの官能基を利用して、被測定物質またはその一部と担体とを直接または結合剤を介して化学結合させるものであり、被測定物質またはその一部の構造に応じて種々のものが知られている（生化学実験法１１  エンザイムイムノアッセイ、P. Tijssen著、石川栄治編、252頁、1989年、東京化学同人）。化学結合を形成させるための試薬としては、アシル化剤、アルキル化剤などが挙げられる。好ましくは、カルボキシル基を活性化することにより得られるＮ−ヒドロキシスクシンイミドエステル、弱アルカリ条件下で用いられるマレイミド類などである。
【００２１】
特異的結合物質をビオチン化し、ビオチンに特異的に結合する物質（例えば、アビジン、ストレプトアビジン、ニュートラビジン）に結合させることによって複合体を形成してもよい。
【００２２】
特異的結合物質を特異的に複数個結合し得るキャリアとしては、例えば、特異的結合物質に特異的に結合する抗体；その抗体をアンカーなどにより化学的に結合させたものを複数個結合した物質；その抗体をビオチン化し、アビジン、ストレプトアビジン、ニュートラビジンなどに特異的に結合させた物質などが挙げられる。
【００２３】
（被測定物質の類似体）
被測定物質の類似体は、特異的結合物質に特異的に結合するものであればよい。被測定物質の類似体とは、被測定物質に特異的に結合する物質が認識しそして結合し得る物質であって、（ｉ）該被測定物質の部位を有する物質、（ii）該部位を有する物質の構造類似体、または（iii）該部位を有する物質または該構造類似体が複数個結合した物質である。被測定物質がハプテンである場合は、被測定物質の類似体は、例えば、ハプテン結合蛋白質である。
【００２４】
また、被測定物質またはその類似体は  以下で詳述する不溶性担体とは異なる担体に複数個結合されていてもよい。このような担体としては、各種動物由来のアルブミン、ヘモシアニン、サイログロブリン、フィブリノーゲン、酵素などから適宜選ばれる。本発明においては、ウシ血清アルブミン（ＢＳＡ）が好ましい。担体１分子当たり、４〜４０程度の被測定物質またはその類似体が結合していることが好ましい。被測定物質またはその類似体とこれらの担体との結合は、当業者が通常用いる方法により製造することができる。この方法としては、上記の特異的結合物質の単体同士の結合と同様である。被測定物質の類似体は、不溶性担体に結合され得る。
【００２５】
（微小粒子）
本発明において、被測定物質またはその類似体を結合させるための不溶性担体は、免疫測定試薬に使用され得る微小粒子であればよい。ラテックスおよび金属コロイドが好ましい。金属コロイドの場合、金コロイドが一般的に利用されやすい点で好ましい。金コロイド粒子は、市販されているものを用いてもよく、あるいは当業者が通常用いる方法（例えば、塩化金酸をクエン酸ナトリウムで還元する方法）により調製したものを用いてもよい。金コロイド粒子の粒径は、通常１０ｎｍ〜１００ｎｍ、好ましくは３０ｎｍ〜６０ｎｍの範囲である。
【００２６】
本発明の方法に用いられる上記特異的結合物質を結合させた微小粒子（以下、「結合微小粒子」という場合がある）は、例えば、微小粒子として金コロイド粒子を用いる場合、以下のように調製し得る：金コロイド粒子溶液（５４０ｎｍにおける吸光度が約２．０）１Ｌに対して、通常、０．１ｍｇ〜１００ｍｇ、好ましくは１ｍｇ〜１０ｍｇの被測定物質または被測定物質の類似体を添加し、冷蔵または室温下で５分〜２４時間撹拌する。次いで、ウシ血清アルブミンなどでブロッキングし、遠心分離を行うことにより、目的の結合微小粒子（この場合は、結合金コロイド粒子）を得ることができる。得られた結合微小粒子は、測定に必要な濃度となるように緩衝液に分散させる。緩衝液のｐＨは５〜９が好ましく、濃度は１〜１００ｍＭが好ましい。緩衝液としては、例えば、リン酸緩衝液、トリス塩酸緩衝液、コハク酸緩衝液、あるいはグリシルグリシン、ＭＥＳ（２−（Ｎ−モルホリノ）エタンスルホン酸）、ＨＥＰＥＳ（２−［４−（２−ヒドロキシエチル）−１−ピペラジニル］エタンスルホン酸）、ＴＥＳ（Ｎ−トリス（ヒドロキシメチル）メチル−２−アミノエタンスルホン酸）、ＭＯＰＳ（３−（Ｎ−モルホリノ）プロパンスルホン酸）、ＰＩＰＥＳ（ピペラジン−１，４−ビス（２−エタンスルホン酸））、Ｂｉｓ−Ｔｒｉｓ（ビス（２−ヒドロキシエチル）イミノトリス（ヒドロキシメチル）メタン）などのグッド緩衝液が好適に用いられる。
【００２７】
緩衝液は、必要に応じて、糖および糖アルコール、アジ化ナトリウム、アルブミン、塩化ナトリウムなどの塩類、防腐剤などの添加物を含有してもよい。糖および糖アルコールとしては、グルコース、マンノース、サッカロース、ラクトース、マルトース、マンニトール、ソルビトールなどが挙げられ、その濃度は、０．０１〜１０ｗ／ｖ％が好ましい。アルブミンとしては、ウシ血清アルブミン（ＢＳＡ）が好ましく、その濃度は０．００１〜１ｗ／ｖ％が好ましい。防腐剤としてはアジ化ナトリウムが好ましく、その濃度は、０.０１〜０．５ｗ／ｖ％が好ましい。その他の添加物としては、Ｔｗｅｅｎ２０、ポリエチレングリコールラウリルエーテル、５−ブロモサリチル酸、サリチル酸ナトリウム、安息香酸ナトリウム、ベンゼンスルホン酸ナトリウム、フェノール、チモールなどが挙げられる。
【００２８】
（被測定物質の測定方法）
本発明の検体中の被測定物質を測定する方法は、
（ａ）該被測定物質を含む検体と、該被測定物質に特異的に結合する物質（すなわち、特異的結合物質）を複数個有する複合体と、該被測定物質または該被測定物質の類似体を不溶性担体上に結合させた微小粒子（以下、「結合微小粒子」という場合がある）とを混合する、工程；および
（ｂ）該工程（ａ）で得られた該混合液において、該微小粒子の凝集反応を測定する工程；
を含む。
【００２９】
この方法においては、被測定物質が、複合体と結合微小粒子とを含む反応液中に共存した場合、複合体の特異的結合物質と結合微小粒子上の被測定物質またはその類似体との反応（例えば、結合）による凝集反応が、検体に含まれる被測定物質の濃度に依存して阻害されるので、その阻害の程度を機械的に測定する。
【００３０】
被測定物質と複合体との結合反応、および結合微小粒子の凝集反応において、反応温度、ｐＨ、緩衝液の種類、共存する塩の種類や濃度、その他の共存物質などの反応条件は、従来の免疫学的反応と同様であり、当業者により適宜決定され得る。例えば、一般的に行われているように、反応促進の目的で、ポリエチレングリコール、ポリビニルアルコール、デキストラン、コンドロイチン硫酸ナトリウムなどの水溶性高分子を反応系に添加してもよい。
【００３１】
本発明の方法は、例えば、以下のように行われる：第１の反応として、被測定物質を含む検体または該検体を緩衝液などで適切に希釈したものなどと、特異的結合物質を複数個結合させた複合体とを混合する。次いで、第２の反応として、この混合液に、結合微小粒子を添加して混合する。第１の反応において被測定物質またはその類似体と結合しなかった複合体の特異的結合物質は、この第２の反応において結合微小粒子上の被測定物質またはその類似体と結合することにより、複合体を介して結合微小粒子の凝集反応が生じる。この凝集反応は、結合微小粒子に結合する複合体の量に依存するので、第１反応において被測定物質と結合しなかった複合体の量に依存することになる。すなわち、第１の反応の検体中の被測定物質の量に依存して第２の反応の凝集反応が減少する。
【００３２】
あるいは、本発明の測定方法は、まず被測定物質含む検体または該検体を緩衝液などで適切に希釈したものと結合微小粒子とを混合し、次いで、この混合液に特異的結合物質を複数個結合させた複合体を添加して混合してもよい。複合体の添加により生じる凝集反応は、反応液中に共存する検体由来の被測定物質により競合的に阻害されるので、凝集反応に起因する吸光度変化を測定することにより、被測定物質の濃度の測定が可能である。
【００３３】
結合微小粒子として金コロイドを用いる場合は、この凝集反応に起因する所定の波長における吸光度変化を測定する。測定結果を、予め作成しておいた金コロイド凝集反応の吸光度変化と被測定物質の量との関係を表す検量線に当てはめることにより、容易に検体中の被測定物質の量を求めることができる。なお、吸光度変化が一定値未満であれば陰性、一定値以上であれば陽性として判定を行う、定性および半定量を行うことも可能である。
【００３４】
金コロイドを用いる場合、反応開始後の吸光度変化は、一波長測定であっても二波長測定であってもよい。二波長測定の場合は、測定波長は、第一波長６１０ｎｍ〜８００ｎｍ、好ましくは６３０ｎｍ〜７５０ｎｍ、ならびに第二波長３６０ｎｍ〜５８０ｎｍ、好ましくは５００ｎｍ〜５５０ｎｍである。一波長測定の場合は、上記二波長測定の場合の第一波長または第二波長のいずれか一方の波長領域の波長で測定することができる。本発明の方法において吸光度変化とは、以下の２通りの測定により得られた値であり、いずれであってもよい：
（１）反応開始後に反応液の吸光度を適当な間隔で２回測定し、その差を吸光度変化とする；または
（２）反応開始後に反応液の吸光度を連続的に測定し、時間当たりの吸光度変化率（その最大変化率を用いる場合もある）を吸光度変化とする。
【００３５】
上記測定には、分光光度計、マイクロプレートリーダー、生化学自動分析装置などが利用できる。特に、本発明の方法を生化学自動分析装置での測定に適用することにより、多数の検体を短時間に測定することが可能である。
【００３６】
（測定用試薬キット）
本発明によれば、本発明の方法に用いるための測定用試薬キットが提供される。このキットは、被測定物質に特異的に結合し得る物質を複数個有する複合体を含む第一試薬；および、被測定物質または被測定物質の類似体を不溶性担体上に結合させた微小粒子を含む第二試薬；を含む。
【００３７】
上記の試薬は、どのような形態で提供されてもよく、それぞれ個別に密封包装されて提供されることが好ましい。上記キットは、検量線作成用の被測定物質の標準品、使用時に各物質を溶解して適切な濃度の溶液を調製するための緩衝液、使用説明書など含んでいてもよい。
【実施例】
【００３８】
以下、実施例に基づいて本発明をさらに具体的に説明するが、本発明はこれらによって限定されるものではない。
【００３９】
（実施例１：金コロイド液の調製）
９５℃の蒸留水１Ｌに１０ｗ／ｖ％塩化金酸溶液２ｍＬを撹拌しながら加え、１分後に２ｗ／ｖ％クエン酸ナトリウム溶液１０ｍＬを加え、さらに２０分間撹拌した後、３０℃に冷却した。冷却後、０．１ｗ／ｖ％炭酸カリウムでｐＨ７．１に調節した。
【００４０】
（実施例２：ジアセチルスペルミン結合金コロイド試薬の調製）
ジアセチルスペルミン結合ＢＳＡ（株式会社トランスジェニック）を、０．２５ｗ／ｖ％アジ化ナトリウムを含む１０ｍＭ  ＨＥＰＥＳ（ｐＨ７．１）で希釈して５ｍｇ／ｍＬの濃度にした。この液の１００ｍＬを、上記実施例１で調製した約１Ｌの金コロイド液に加えて２時間室温で撹拌した。さらに５．４６ｗ／ｖ％マンニトール、０．５ｗ／ｖ％ＢＳＡ、および０．０５ｗ／ｖ％アジ化ナトリウムを含む１０ｍＭ  ＨＥＰＥＳ（ｐＨ７．１）を１１０ｍＬ添加して、室温にて１時間撹拌し、８０００回転で４０分間遠心分離して、上清を除去した。次いで、得られた残渣に、３ｗ／ｖ％マンニトール、０．１ｗ／ｖ％ＢＳＡ、および０．０５ｗ／ｖ％アジ化ナトリウムを含む５ｍＭ  ＨＥＰＥＳ（ｐＨ７．５）（Ａ溶液）を約１Ｌ加え、金コロイド粒子を分散させた後、８０００回転で４０分間遠心分離し、上清を除去した。さらに、残渣にＡ溶液を加えて金コロイド粒子を分散させ、全量を７０ｍＬとし、ジアセチルスペルミン結合金コロイド溶液を調製した。
【００４１】
次いで、ジアセチルスペルミン結合金コロイド溶液７０ｍＬに、Ａ溶液を２８０ｍＬ添加し、ジアセチルスペルミン結合金コロイド試薬を調製した。
【００４２】
（実施例３：抗ジアセチルスペルミン抗体−抗マウスＩｇＧ抗体複合体の調製）
抗ジアセチルスペルミン抗体（株式会社トランスジェニック）と抗マウスＩｇＧ抗体（Production of Antibodies, Reagents for Immunology and Services社）とをモル濃度比２：１で混合し、抗ジアセチルスペルミン抗体−抗マウスＩｇＧ抗体複合体を調製した。
【００４３】
（実施例４：抗マウスＩｇＧ抗体結合アビジンの調製）
抗マウスＩｇＧ抗体をＢｉｏｔｉｎ  Ｌａｂｅｌｉｎｇ  Ｋｉｔ−ＳＨ（Dojindo Molecular Technologies, Inc.）を用いてビオチン化した。ビオチン化ＩｇＧ抗体とアビジンとをモル濃度比４：１で混合し、抗マウスＩｇＧ抗体結合アビジンを調製した。
【００４４】
（実施例５：抗ジアセチルスペルミン抗体−抗マウスＩｇＧ抗体結合アビジン複合体の調製）
上記実施例３で調製した抗マウスＩｇＧ抗体結合アビジンと抗ジアセチルスペルミン抗体とをモル濃度比１：４で混合し、抗ジアセチルスペルミン抗体−抗マウスＩｇＧ抗体結合アビジン複合体を調製した。
【００４５】
（実施例６：ジアセチルスペルミン測定１用第一試薬の調製）
１．０ｗ／ｖ％塩化ナトリウム、０．５ｗ／ｖ％ＥＤＴＡ、２．５ｗ／ｖ％ポリエチレングリコールおよび０．３５ｗ／ｖ％ポリオキシエチレンラウリルエーテルを含む０．２Ｍ  ＰＩＰＥＳ（ｐＨ６．５）の溶液（Ｂ溶液）に、上記実施例３で調製した抗ジアセチルスペルミン抗体−抗マウスＩｇＧ抗体複合体を４．９４×１０-１２モル／ｍＬ（含有抗ジアセチルスペルミン抗体量：１．４８μｇ／ｍＬ試薬）になるように添加して、ジアセチルスペルミン測定１用第一試薬（ａ）を調製した。
【００４６】
これとは別に、Ｂ溶液に上記実施例５で調製した抗ジアセチルスペルミン抗体−抗マウスＩｇＧ抗体結合アビジン複合体を２．４７×１０-１２モル／ｍＬ（含有抗ジアセチルスペルミン抗体量１．４８μｇ／ｍＬ試薬）になるように添加して、ジアセチルスペルミン測定１用第一試薬（ｂ）を調製した。
【００４７】
対照として、Ｂ溶液に抗ジアセチルスペルミン抗体を単体で、上記第一試薬（ａ）および（ｂ）と同様の濃度（１．４８μｇ／ｍＬ試薬）になるように添加して、ジアセチルスペルミン測定１用第一試薬（ｃ）を調製した。
【００４８】
（実施例７：ジアセチルスペルミン測定１）
本実施例では、第一試薬として上記実施例６で調製したジアセチルスペルミン測定１用の第一試薬（ａ）、（ｂ）、および（ｃ）の３種を、第二試薬として上記実施例２で調製したジアセチルスペルミン結合金コロイド試薬を用いた。ジアセチルスペルミンを、それぞれ０、２５、５０、７５、１００、１５０および２００ｎＭになるように３．０ｗ／ｖ％ＢＳＡおよび１．０ｗ／ｖ％塩化ナトリウムを含むＢｉｓ−Ｔｒｉｓ（ｐＨ７．４）に溶解して、ジアセチルスペルミン含有試料を調製した。各ジアセチルスペルミン含有試料１０μＬに、第一試薬を１６０μＬ添加し、３７℃で約５分間加温した後、第二試薬を８０μＬ加えて３７℃にて反応させて、日立７０７０自動分析装置により、波長５４６ｎｍおよび６６０ｎｍでの測光ポイントとして１８から３１ポイントにおける吸光度変化量を測定した。図１および表１にジアセチルスペルミン濃度と吸光度変化量との関係を示す。
【００４９】
【表１】
2010101703.tif 000002
【００５０】
図１および表１に示すように、被測定物質であるジアセチルスペルミンの濃度依存的に、凝集反応による吸光度変化量が変化した。すなわち、ジアセチルスペルミンの濃度が高いほど、吸光度変化量が少なくなった。同量の抗体を含む各第一試薬において、その吸光度変化量は、従来の抗体を単体で含有する第一試薬（ｃ）よりも、抗体を複合体の形態で含有する第一試薬（ａ）および（ｂ）を使用した場合の方が大きく、ジアセチルスペルミンの低濃度域を高感度で測定できることがわかる。したがって、試料中の被測定物質であるジアセチルスペルミン量を、凝集反応の吸光度変化量として測定する場合、抗体を複数個結合した複合体を使用することにより、低濃度域についても高感度で測定でき、そのためより幅広い濃度域の測定が可能であることがわかった。
【００５１】
（実施例８：抗ジアセチルスペルミン抗体−アビジン複合体の調製）
抗ジアセチルスペルミン抗体をＢｉｏｔｉｎ  Ｌａｂｅｌｉｎｇ  Ｋｉｔ−ＳＨを用いてビオチン化した。ビオチン化抗ジアセチルスペルミン抗体とアビジンとをモル濃度比４：１で混合し、抗マウスＩｇＧ抗体結合アビジンを調製した。
【００５２】
（実施例９：ジアセチルスペルミン測定２用第一試薬の調製）
１．０ｗ／ｖ％塩化ナトリウム、０．２ｗ／ｖ％ＢＳＡ、２．５ｗ／ｖ％ポリエチレングリコールおよび０．３５ｗ／ｖ％ポリオキシエチレンラウリルエーテルを含む０．２Ｍ  Ｂｉｓ−Ｔｒｉｓ（ｐＨ６．５）の溶液（Ｃ溶液）に、上記実施例８で調製した抗ジアセチルスペルミン抗体−アビジン複合体を２．９６×１０-１２モル／ｍＬ（含有抗ジアセチルスペルミン抗体量：０．８８８μｇ／ｍＬ試薬）になるように添加して、ジアセチルスペルミン測定２用第一試薬（ｄ）を調製した。
【００５３】
対照として、Ｃ溶液に抗ジアセチルスペルミン抗体を、上記第一試薬（ｄ）と同様の濃度（０．８８８μｇ／ｍＬ試薬）になるように添加してジアセチルスペルミン測定２用第一試薬（ｅ）を調製した。
【００５４】
（実施例１０：ジアセチルスペルミン測定２）
本実施例では、第一試薬として上記実施例９で調製したジアセチルスペルミン測定２用の第一試薬（ｄ）および（ｅ）の２種を、第二試薬として上記実施例２で調製したジアセチルスペルミン結合金コロイド試薬を用いた。ジアセチルスペルミンを、それぞれ０、５０、１００、２００、３００、４００および５００ｎＭになるように３．０ｗ／ｖ％ＢＳＡおよび１．０ｗ／ｖ％塩化ナトリウムを含むＢｉｓ−Ｔｒｉｓ（ｐＨ７．４）に溶解して、ジアセチルスペルミン含有試料を調製した。各ジアセチルスペルミン含有試料１０μＬに、第一試薬を１６０μＬ添加し、３７℃で約５分間加温した後、第二試薬を８０μＬ加えて３７℃にて反応させて、日立７０７０自動分析装置により、波長５４６ｎｍおよび６６０ｎｍでの測光ポイントとして１８から３１ポイントにおける吸光度変化量を測定した。図２および表２にジアセチルスペルミン濃度と吸光度変化量との関係を示す。
【００５５】
【表２】
2010101703.tif 000003
【００５６】
図２および表２に示すように、抗ジアセチルスペルミン抗体を単体で含有する第一試薬（ｅ）を使用した場合、凝集反応がほとんど生じず、凝集反応による吸光度変化量がジアセチルスペルミンの濃度依存的に変化しなかったので、濃度測定ができなかった。これに対し、第一試薬（ｅ）と同様の抗体量で抗ジアセチルスペルミン抗体−アビジン複合体を含有する第一試薬（ｄ）を使用した場合は、凝集反応が生じ、凝集反応による吸光度変化量が、被測定物質であるジアセチルスペルミンの濃度依存的に変化した。このように、抗体を複合体の形態で使用することにより、凝集反応が促進され、そして被測定物質の存在下では、その濃度依存的に凝集反応の阻害が生じる。このことから、抗体を複数個結合した複合体を使用することにより、低濃度域についても高感度で測定でき、したがって、より幅広い濃度域の測定が可能であることがわかった。
【産業上の利用可能性】
【００５７】
本発明の方法では、被測定物質に特異的に結合する物質（例えば、抗体）を単体で使用するのではなく、被測定物質に特異的に結合する物質を複数個有する複合体として使用することにより、被測定物質またはその類似体を複数個結合したラテックス粒子や金コロイド粒子との凝集反応を劇的に促進することができ、被測定物質の測定感度が著しく上昇する。したがって、本発明の方法によれば、従来技術では測定できなかった低濃度域での測定が可能である。
【００５８】
本発明の方法は、凝集促進剤を必要としないため、取り扱いや再現性にも優れる。また、Ｂ／Ｆ分離を必要としないため、自動化にも非常に適し、例えば、臨床検査分野で普及している自動分析装置を利用できる。したがって、工業、環境、および臨床検査の分野における、抗原抗体反応を利用した微量成分の免疫学的測定方法に好適である。
【図面の簡単な説明】
【００５９】
【図１】ジアセチルスペルミン測定１において、第一試薬（ａ）、（ｂ）および（ｃ）を用いた場合の、ジアセチルスペルミン濃度と吸光度変化量との関係を示すグラフである。
【図２】ジアセチルスペルミン測定２において、第一試薬（ｄ）および（ｅ）を用いた場合の、ジアセチルスペルミン濃度と吸光度変化量との関係を示すグラフである。
【図１】
2010101703.tif 000004
【図２】
2010101703.tif 000005